【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
強度変調粒子線治療（ＩＭＰＴ）形態に使用可能な粒子線治療装置の品質保証のためのファントム（１０）であって、
ａ）第１の面（５０）及び前記第１の面と平行な第２の面（６０）を有し、ＲＸ透過材でできている縁部（４０）を有するフレーム構造体（３０）と、
ｂ）前記第１の面に対して配向され、それと平行な第１のウェッジ面（８０）と、前記第１の面に対向して配向され、前記第１の面（５０）に対して傾斜される第２のウェッジ（９０）面とをそれぞれが有する１つ以上のウェッジ（７０）と、
ｃ）前記第１の面に対して配向され、それと平行な第１のブロック面（１１０）と、前記第２の面（６０）に対して配向され、それと平行な第２のブロック面（１２０）とを有する第１の材料ブロック（１００）であって、絶対線量計（１３０）が前記第１のブロック面（１１０）に配置される、第１の材料ブロック（１００）と、
ｄ）前記第１の面に対して配向され、それと平行な第１のブロック面（１５０）と、前記第２の面（６０）に対して配向され、それと平行な第２のブロック面（１６０）とを有する第２の材料ブロック（１４０）と、
ｅ）前記第１（１１０）及び／又は前記第２のブロック（１４０）に位置する高密度材料の複数のビード（１７０）と、
ｆ）前記第２の面に配置される２Ｄ検出器（１８０）と、を備え、
前記１つ以上のウェッジ（７０）、第１の材料ブロック、絶対線量計、第２の材料ブロック、高密度材料の複数のビード（１７０）、及び２Ｄ検出器（１８０）が、前記フレーム構造体（３０）に関して既知の固定位置にあるファントム（１０）において、
高密度材料の中央ビード（１７５）は、前記フレーム構造体（３０）に関して中央の既知の固定位置に保持され、前記１つ以上のウェッジ（７０）、前記第１（１００）及び第２の材料ブロック（１４０）は、前記第１の面（５０）から、そして、それと垂直に、前記中央ビード（１７５）を通って前記ファントム（１０）を横断するビームが、前記中央ビード（１７５）の他に何れかの材料も横断することなく、前記第２の面（６０）に到達するように、前記フレーム構造体（３０）内に配置される、
ことを特徴とするファントム。
【請求項２】
請求項１に記載のファントム（１０）において、前記フレーム構造体（３０）は多面体形状であることを特徴とするファントム。
【請求項３】
請求項２に記載のファントム（１０）において、前記多面体は直方体であることを特徴とするファントム。
【請求項４】
請求項１乃至３の何れか一項に記載のファントム（１０）において、視認マーカ（２００）が１つ以上の前記縁部（４０）の既知の位置に提供されることを特徴とするファントム。
【請求項５】
請求項１乃至４の何れか一項に記載のファントム（１０）において、前記１つ以上のウェッジ（７０）は、前記第１のウェッジ面（８０）と第２のウェッジ面（９０）との間に、２０ｍｍ〜３１５ｍｍの間に備えられる距離を有し、水等価放射線吸収特性を有する材料でできている部分（２１０）を備えることを特徴とするファントム。
【請求項６】
請求項１乃至５の何れか一項に記載のファントム（１０）において、前記１つ以上のウェッジ（７０）及び／又は前記第１のブロック（１００）及び／又は前記第２のブロック（１４０）は、水等価放射線吸収特性を有する材料でできていることを特徴とするファントム。
【請求項７】
請求項１乃至６の何れか一項に記載のファントム（１０）において、前記２Ｄ検出器（１８０）は、クリップ（２２０）によって前記第２の面（６０）の前記縁部（４０）に保持されることを特徴とするファントム。
【請求項８】
請求項１乃至７の何れか一項に記載のファントム（１０）において、前記複数の高密度材料ビード（１７０、１７５）は、１〜３ｍｍの間の直径を有する金属製球体であることを特徴とするファントム。
【請求項９】
強度変調粒子線治療（ＩＭＰＴ）形態に使用可能な粒子線治療装置の品質保証のための方法において、前記装置は、基準位置を有する患者ポジショナと、それぞれがＸ線源及び２Ｄ  Ｘ線検出器を備える２つ以上のＸ線システムとを備え、前記方法は、
ａ）請求項１〜８の何れか一項に記載のファントム（１０）を提供するステップと、
ｂ）前記ファントム（１０）を前記患者ポジショナ上に位置決めするステップと、
ｃ）前記患者ポジショナを前記基準位置に位置決めするステップと、
ｄ）前記ファントムの中央の既知の固定位置に向けられるペンシルビームを前記ファントム（１０）に照射し、且つ、前記２Ｄ検出器（１８０）上で前記ペンシルビームの画像を取得するステップと、
ｅ）前記画像から、前記中央ビード（１７５）と前記ペンシルビームとの間の距離を計算するステップと、
を含むことを特徴とする方法。
【請求項１０】
請求項９に記載の方法において、更に、ステップｂ）とｃ）との間に、
ｆ）前記患者ポジショナを前記基準位置から既知のオフセットベクトルに位置決めするステップと、
ｇ）前記ファントム（１０）の１つ以上のＸ線画像を前記２Ｄ  Ｘ線検出器上で取得するステップと、
ｈ）前記２Ｄ  Ｘ線検出器上での前記高密度材料ビード（１７０、１７５）の前記画像から、前記患者ポジショナを前記基準位置に移動させるための修正ベクトルを計算するステップと、
ｉ）前記オフセットベクトルの、且つ、前記修正ベクトルの前記前記合計が閾値未満であることを検証するステップと、
を含むことを特徴とする方法。
【請求項１１】
請求項９又は１０の何れか一項に記載の方法において、更に、ステップｃ）の後に、
ｊ）それぞれが同じエネルギーを有する複数のペンシルビームを前記ファントム（１０）に対して照射し、且つ、前記２Ｄ検出器（１８０）上で前記ペンシルビームの前記画像を取得するステップと、
ｋ）前記画像から、ビーム範囲、スポットサイズ、スポット位置を計算するステップと、
ｌ）前記絶対放射線検出器（１３０）から放射線量を取得するステップと、
ｍ）前記ビーム範囲、スポットサイズ、スポット位置、及び放射線量が、期待ビーム範囲、スポットサイズ、スポット位置、及び放射線量からの範囲内にあることを検証するステップと、
を含むことを特徴とする方法。
【請求項１２】
請求項９乃至１１の何れか一項に記載の方法において、前記ファントム（１０）は視認マーカ（２００）を１つ以上の前記縁部（４０）の既知の位置に備え、前記方法は、更に、
ｎ）光又はレーザ光の１つ以上のファンを前記視認マーカ（２００）に向けるステップと、
ｏ）前記視認マーカ（２００）との光又はレーザ光の前記ファンの一致を検証するステップと、
を含むことを特徴とする方法。
【請求項１３】
請求項９又は１２に記載の方法において、更に、異なるビームエネルギーに対してステップｊ）からｍ）を繰り返すステップを含むことを特徴とする方法。
【請求項１４】
請求項９乃至１３の何れか一項に記載の方法において、ステップｃ）からｍ）のうちの少なくとも１つは、自動的にプログラムの制御下で行われることを特徴とする方法。
【請求項１５】
請求項９に記載のステップｃ）からｅ）及び／又は請求項１０に記載のステップｆ）からｉ）及び／又は請求項１１に記載のステップｊ）からｍ）及び／又は請求項１２に記載のステップｎ）からｏ）を実行するためのコードを備えるコンピュータプログラム。
【請求項１６】
粒子線治療装置の前記品質保証のための、請求項１乃至９の何れか一項に記載のファントム（１０）を備えるシステム、及び、請求項１５に記載のコンピュータプログラムを備えるコントローラ。